(57)【特許請求の範囲】
【請求項１】
類似サイズの円柱形物品の垂直配列された少なくとも２つの段からなる物品グループであって、前記円柱形物品それぞれが直径を有する、物品グループと、
前記物品グループのまわりに配置されるカートンと、
を備え、
前記カートンは、頂部壁と、一対の対向する側部壁と、端部壁と、底部壁と、前記頂部壁、側部壁及び端部壁それぞれに形成された切離線によって画成された取除き可能なコーナー部分と、を有し、
前記端部壁の前記切離線は、前記側部壁間で連続的に延在しており、前記コーナー部分を取り除くと同時に前記端部壁に凹所を画成するための第１のセクションと、前記第１のセクションから前記側部壁の一方へ延在する第２のセクションと、を備え、
前記第１のセクションに沿った最も低いポイントは、前記底部壁よりも上に第１の距離で離間し、
前記第２のセクションに沿った最も高いポイントは、前記底部壁よりも上に第２の距離で離間し、
前記第１の距離は、前記直径よりも小さく、前記垂直配列された段のうちの最下段にある末端の物品は、前記コーナー部分を取り除くと同時に現れて前記凹所を通して見え、
前記第２の距離は、前記直径よりも大きく、前記端部壁は、前記コーナー部分を取り除いた後であっても前記垂直配列された段のうち最下段から２段目にある末端の物品を前記カートン内で保持するのに十分高く、
前記側部壁にある少なくとも１つの前記切離線に沿った最も低いポイントは、前記底部壁よりも上に第３の距離で離間し、
前記第１の距離は、前記第３の距離よりも小さく、
前記第２の距離は、前記第３の距離よりも大きいことを特徴とするパッケージ。
【請求項２】
前記端部壁にある前記切離線は、前記コーナー部分を取り除くと同時に前記端部壁から形成される物品ストッパ壁の上方縁部を画成し、
前記物品ストッパ壁は、一対の前記側部壁間で連続的に延在することを特徴とする請求項１に記載のパッケージ。
【請求項３】
前記第２のセクションは、前記コーナー部分を取り除くと同時に前記物品ストッパ壁から上方側に延在する保持タブを画成するように構成されていることを特徴とする請求項１に記載のパッケージ。
【請求項４】
前記第１のセクションは、ほぼＵ字状をなしており、前記凹所と前記コーナー部分と一体である相補的な突出部とを画成することを特徴とする請求項１に記載のパッケージ。
【請求項５】
類似サイズの円柱形物品の垂直配列された少なくとも２つの段からなる物品グループであって、前記円柱形物品が平行に並んだ状態で横に配置された、物品グループと、
前記物品グループのまわりに配置されるカートンと、
を備え、
前記カートンは、頂部壁と前記頂部壁の側縁部に接続された一対の対向する側部壁と前記側部壁を連結する端部壁と前記側部壁の下方縁部を連結する底部壁とを含む複数の壁と、当該カートンから前記物品を分配するための物品ディスペンサーと、を備え、
前記物品ディスペンサーは、前記頂部壁と前記側部壁と前記端部壁とから形成されかつ分離可能接続部に沿って前記頂部壁、前記側部壁及び前記端部壁に取り外し可能に接続された前記カートンの取り除き可能なコーナー部分を有し、前記カートンから取り除かれ、これによって前記物品の少なくとも一部を露出させる開口部を画成し、
前記開口部は、前記物品グループの最下段にある末端の物品の一部を取り除くために前記端部壁に凹所を画成する形状をなしており、前記物品グループの最下段から２段目にある末端の物品を保持するための物品ストッパ壁をさらに画成し、
前記物品ストッパ壁は、前記コーナー部分を取り除くと同時に前記端部壁から形成されており、
前記分離可能接続部は、前記開口部の縁部を画成するための切離線を備え、
前記切離線は、前記頂部壁、前記側部壁及び前記端部壁それぞれに形成されており、
前記端部壁の前記切離線は、前記側部壁間で連続的に延在し、前記端部壁に前記凹所を画成するための第１のセクションを備え、
前記物品それぞれは、直径を有し、
前記端部壁の前記切離線は、前記第１のセクションから前記側部壁の一方へ延在する第２のセクションをさらに備え、
前記第１のセクションに沿った最も低いポイントは、前記底部壁よりも上に第１の距離で離間し、
前記第２のセクションに沿った最も高いポイントは、前記底部壁よりも上に第２の距離で離間し、
前記第１の距離は、前記直径よりも小さく、
前記第２の距離は、前記直径よりも大きく、
前記側部壁にある少なくとも１つの前記切離線に沿った最も低いポイントは、前記底部壁よりも上に第３の距離で離間し、
前記第１の距離は、前記第３の距離よりも小さく、
前記第２の距離は、前記第３の距離よりも大きいことを特徴とするパッケージ。
【請求項６】
類似サイズの円柱形物品の垂直配列された少なくとも２つの段からなる物品グループであって、前記円柱形物品が平行に並んだ状態で横に配置された、物品グループと、
前記物品グループのまわりに配置されるカートンと、
を備え、
前記カートンは、頂部壁と前記頂部壁の側縁部に接続された一対の対向する側部壁と前記側部壁を連結する端部壁と前記側部壁の下方縁部を連結する底部壁とを含む複数の壁と、当該カートンから前記物品を分配するための物品ディスペンサーと、を備え、
前記物品ディスペンサーは、前記頂部壁と前記側部壁と前記端部壁とから形成されかつ分離可能接続部に沿って前記頂部壁、前記側部壁及び前記端部壁に取り外し可能に接続された前記カートンの取り除き可能なコーナー部分を有し、前記カートンから取り除かれ、これによって前記物品の少なくとも一部を露出させる開口部を画成し、
前記開口部は、前記物品グループの最下段にある末端の物品の一部を取り除くために前記端部壁に凹所を画成する形状をなしており、
前記分離可能接続部は、前記開口部の縁部を画成するための切離線を備え、
前記切離線は、前記頂部壁、前記側部壁及び前記端部壁それぞれに形成されており、
前記端部壁の前記切離線は、前記側部壁間で連続的に延在し、前記端部壁に前記凹所を画成するための第１のセクションを備え、
前記端部壁の前記切離線は、前記側部壁間で連続的に延在し、物品ストッパ壁は、前記コーナー部分を取り除くと同時に前記端部壁から形成され、
前記凹所は、前記物品ストッパ壁の上方縁部に沿って形成され、
前記端部壁の前記切離線は、前記コーナー部分を取り除くと同時に前記物品ストッパ壁から上方側に延在する保持タブを画成するための第２のセクションをさらに備え、
前記第１のセクションに沿った最も低いポイントは、前記底部壁よりも上に第１の距離で離間し、
前記第２のセクションに沿った最も高いポイントは、前記底部壁よりも上に第２の距離で離間し、
前記第１の距離は、前記直径よりも小さく、
前記第２の距離は、前記直径よりも大きく、
前記側部壁にある前記切離線それぞれに沿った最も低いポイントは、前記底部壁よりも上に第３の距離で離間し、
前記第１の距離は、前記第３の距離よりも小さく、
前記第２の距離は、前記第３の距離よりも大きいことを特徴とするパッケージ。
【請求項７】
前記物品グループは、３つの垂直配置された段の前記物品から形成されており、
前記側部壁の前記切離線は、前記物品グループの中断にある末端の物品の両端部を横切るように配置されていることを特徴とする請求項６に記載のパッケージ。
【請求項８】
類似サイズの円柱形物品の垂直配列された少なくとも２つの段からなる物品グループであって、前記円柱形物品それぞれが直径を有する、物品グループと、
前記物品グループのまわりに配置されるカートンと、
を備え、
前記カートンは、頂部壁と、一対の対向する側部壁と、端部壁と、前記頂部壁、側部壁及び端部壁それぞれに形成された切離線によって画成された取り除き可能なコーナー部分と、を有し、
前記端部壁の前記切離線は、前記側部壁間で連続的に延在し、
前記端部壁の前記切離線は、前記コーナー部分を取り除くと同時に前記端部壁に凹所を画成するためのほぼＵ字状をなす第１のセクションと、前記第１のセクションから前記側部壁の一方へ延在する第２のセクションと、を備え、
前記端部壁は、前記側部壁それぞれに折り曲げ可能に接続された第１及び第２端部パネルを備え、
前記第１のセクションは、前記第１端部パネルに部分的に形成されかつ前記第２端部パネルに部分的に形成され、
前記第１のセクションは、前記垂直配列された段のうちの最下段にある末端の物品が前記コーナー部分を取り除くと同時に現れて前記凹所を通して見えるように配置されかつ寸法付けられており、
底部壁をさらに備え、
前記第１のセクションに沿った最も低いポイントは、前記底部壁よりも上に第１の距離で離間し、
前記第２のセクションに沿った最も高いポイントは、前記底部壁よりも上に前記第１の距離よりも大きい第２の距離で離間しており、
前記側部壁にある前記切離線それぞれに沿った最も低いポイントは、前記底部壁よりも上に第３の距離で離間し、
前記第１の距離は、前記第３の距離よりも小さく、
前記第２の距離は、前記第３の距離よりも大きいことを特徴とするパッケージ。
【請求項９】
前記端部壁は、前記カートンの底部壁に折り曲げ可能に接続されて前記頂部壁へ向けて上方に延在する下方サポートフラップをさらに備え、
前記第１及び第２端部パネルは、前記下方サポートフラップの外表面に沿って配置されており、前記下方サポートフラップの上方縁部を覆い、
前記第１のセクションは、前記コーナー部分を取り除くと同時に前記下方サポートフラップの前記上方縁部が原形を保ったままでありかつ前記第１及び第２端部パネルによって未だ覆われているように配置されていることを特徴とする請求項８に記載のパッケージ。
【発明の詳細な説明】
【技術分野】
【０００１】
本発明は、カートンに関するものであり、より詳しくは、個々の物品の拘束された取り出しのためのディスペンサーを有する、複数の物品のためのカートンに関するものである。特に本発明は、内部に収容された物品へのアクセスを改善するように適合されたディスペンサーに関するものである。
【背景技術】
【０００２】
複数の物品を入れるためのカートンは、消費者が清涼飲料あるいは他の飲料のような個々の物品の望ましい量を得るとともに搬送することができるようにするのに役立つ。そのような物品のマルチパックが得られた場合、消費者は、しばしばカートンから一度に１つの物品を取り出すことを望む。したがって、カートンから一度に１つの物品を取り出すことを容易にするディスペンサー付きのカートンが望ましいことが理解されうる。
【発明の開示】
【発明が解決しようとする課題】
【０００３】
カートンに収容された物品が円柱形であってそれらがカートン内に横に配置されている場合、１つの物品を取り出したときに残りの物品がディスペンサーから転がり出ないように物品を拘束することは重要である。また、物品が容易にアクセスされる状態をディスペンサーが提供することも重要である。さらに、多くの場合、個々の物品をカートンから取り出したときに、いくつの物品がカートン内に残っているかを決定できるようにしておくことが望ましい。したがって、１つの物品を取り出したときに残りの物品がカートンから望ましくなく転がったり出たりすることのないように、残りの物品を拘束するディスペンサー付きのカートンが望ましいことがさらに理解されうる。また、物品へのアクセスを容易にするディスペンサー付きのカートンが望ましいことも理解されうる。さらに、個々の物品を取り出したときに、いくつの物品がカートン内に残っているかを決定するのを容易にするディスペンサー付きのカートンが望ましいことが理解されうる。
【０００４】
物品のためのディスペンサーであって、取り出しのために末端の物品を露出させるため、カートンの一部がカートンの上方コーナーから実質的に分離されるか、あるいは切り離されたときに設けられるディスペンサーを有するカートンが周知である。
【０００５】
そのような周知のカートンに関連する問題は、ユーザーがカートン内から物品をつかむ際に困難性を有することがあり得ることである。本発明及びその好ましい実施例は、従来技術の問題を克服するか、あるいは少なくとも緩和しようとするものである。
【課題を解決するための手段】
【０００６】
本発明の第１の特色は、頂部壁と、一対の対向する側部壁と、端部壁と、頂部壁、側部壁及び端部壁にそれぞれ形成された切り離し線によって画成される取り除き可能コーナー部分を含む物品ディスペンサーと、を備えたカートンを提供する。端部壁切り離し線は、カートン内にパッケージされた物品の一部を現すために、コーナー部分の取り除きと同時に端部壁に凹所を画成するための第１のセクションを備えている。
【０００７】
好ましくは、端部壁切り離し線が側部壁間で連続的に延び、コーナー部分の取り除きと同時に、対向する側部壁間で連続的に延びる物品ストッパ壁が端部壁から形成されるようにする。より好ましくは、凹所がストッパ壁の上方縁部に沿って形成される。さらに好ましくは、端部壁切り離し線が、コーナー部分の取り除きと同時にストッパ壁から上方側に延びる保持タブを画成するための第２のセクションを備えていてもよい。
【０００８】
さらに好ましくは、第１のセクションに沿った最も低いポイントが、カートンの底部壁よりも上に第１の距離で離間し、第２のセクションに沿った最も高いポイントが、底部壁よりも上に第２の距離で離間し、側部壁における切り離し線のそれぞれに沿った最も低いポイントが、底部壁よりも上に第３の距離で離間する。第１の距離は第３の距離より小さい一方、第２の距離は第３の距離より大きい。
【０００９】
本発明の第２の特色は、平行に並んだ状態で横に配置された類似サイズの円柱形物品の垂直配列された少なくとも２つの段で形成された物品グループと、該グループのまわりに配置されたカートンと、を含むカートンを備えたパッケージを提供する。カートンは、頂部壁と、頂部壁の側縁部に接続された一対の対向する側部壁と、側部壁を連結する端部壁と、側部壁の下方縁部を連結する底部壁と、を含む複数の壁と；カートンから物品を分配するための物品ディスペンサーと；を備えている。ディスペンサーは、頂部、側部及び端部壁から形成されるとともに分離可能接続部に沿って頂部、側部及び端部壁に分離可能に接続された、カートンの取り除き可能コーナー部分を含んでいる。物品の少なくとも一部を露出させるための開口部は、コーナー部分の取り除きと同時に画成される。開口部は、最下段における末端の物品の一部を現すように、端部壁に凹所を画成するための形状である。
【００１０】
実施例の１つの分類では、分離可能接続部が、開口部の縁部を画成するための切り離し線を備えている。切り離し線は、頂部壁、側部壁及び端部壁にそれぞれ形成されていてもよく、端部壁切り離し線は、端部壁に凹所を画成するための第１のセクションを備えていてもよい。
【００１１】
本発明の第２の特色のオプションによれば、端部壁切り離し線が側部壁間で連続的に延びていてもよく、コーナー部分の取り除きと同時に物品ストッパ壁が端部壁から形成されるようになる。
【００１２】
好ましい実施例では、凹所がストッパ壁の上方縁部に沿って形成されている。端部壁切り離し線は、コーナー部分の取り除きと同時にストッパ壁から上方側に延びる保持タブを画成するための第２のセクションをさらに備えていてもよい。
【００１３】
他の好ましい実施例では、第１のセクションに沿った最も低いポイントが、底部壁よりも上に第１の距離で離間する一方、第２のセクションに沿った最も高いポイントが、底部壁よりも上に第２の距離で離間している。第１の距離は、物品のそれぞれの直径より小さくてもよく、第２の距離は、各物品の直径より大きくてもよい。好ましくは、各側部壁切り離し線に沿った最も低いポイントが、底部壁よりも上に第３の距離で離間し、第３の距離が、第１の距離より大きく、第２の距離よりも小さい。
【００１４】
さらに他の好ましい実施例では、物品グループが、複数の物品の垂直配列された３つの段で形成され、側部壁切り離し線が、中段における末端の物品の両端部を横切るように配置されている。
【００１５】
以下、本発明の代表的な実施例を、添付の図面を参照しつつ単なる例示のみとして説明する。
【発明を実施するための最良の形態】
【００１６】
図面に参照すると、カートン内に収容された１つあるいはそれぞれの物品を分配するためのディスペンサーを有するカートンと、カートンを形成するためのブランクとが示されている。ブランク及びカートンは、切断線及び折り曲げ線が加えられた、ボール紙や例えばプラスチック材料などの他の折り曲げ可能なシート材料から形成されている。カートンは、例えば缶あるいはボトルとされる１つ以上の物品を保持するため、及び、物品を分配するために使用される。例えばディスペンサーを設けるために２つ以上のブランクを用いてもよいことが想定されるが、示された実施例では、以下でより詳細に説明されるように、単一ブランクは単一のカートンを製造するために使用される。
【００１７】
まず図１に参照すると、ディスペンサー付きカートンを形成するためのブランク１０が示されている。ブランク１０は、折り曲げ線２２，２４，２６及び２８に沿って、隣接するもの同士が直列的にそれぞれ折り曲げ可能に接続された、第１の基部壁パネル１２と第１の側部壁パネル１４と頂部壁パネル１６と第２の側部壁パネル１８と第２の基部壁パネル２０とを直列的に備えている。使用中、第１及び第２の基部壁パネル１２及び２０は、複合底部壁を形成するために互いに固定される。
【００１８】
ブランクの各長手方向の縁部に沿って、カートンの端部壁を形成するための一連の端部壁パネル及びフラップを備えている。各端部壁は同一であり、したがって同様の参照符号が接辞「ａ」あるいは「ｂ」と一緒に使用されている。したがって、１つの端部のみがより詳細に説明されるであろう。
【００１９】
第１の端部壁（後方端部壁）は、折り曲げ線３４ａに沿って第１の側部壁パネル１４に折り曲げ可能に接続された第１の端部壁パネル３０ａと、折り曲げ線３６ａに沿って第２の側部壁パネル１８に折り曲げ可能に接続された第２の端部壁パネル３２ａとを備えている。さらに、折り曲げ線４２ａ，３９ａ及び４６ａに沿って第１の基部壁パネル１２、頂部壁パネル１６及び第２の基部壁パネル２０にそれぞれ折り曲げ可能に接続されたサポートフラップ４０ａ，３８ａ及び４４ａを備えている。使用中、サポートフラップ４０ａ及び４４ａは、複合サポートフラップを形成するために互いに固定される。サポートフラップ４０ａ／４４ａ及び３８ａは、それぞれの端部壁パネル３０ａ及び３２ａに係合してこれらを支持する。
【００２０】
実施例の１つの分類では、頂部壁及び端部壁の間、及び／または、基部壁及び端部壁の間に斜角パネルをさらに備えており、図１では、第１の斜角パネルの第１の部分５０ａが、端部サポートフラップ４０ａ及び基部壁パネル１２の中間に位置し、折り曲げ線４２ａ及び５２ａに沿ってそこに折り曲げ可能に接続されている。第１の斜角パネルの第２の部分は、第２の基部壁パネル２０及び端部サポートフラップ４４ａに折り曲げ線４６ａ及び５６ａに沿って折り曲げ可能に接続されたパネル５４ａによって設けられる。好ましくは、折り曲げ線３９ａ及び６０ａに沿って頂部壁パネル１６と端部サポートフラップ３８ａとを折り曲げ可能に連結する第２の斜角パネル５８ａをさらに備えている。
【００２１】
図１の実施例では、反対側の端部（前方端部）が、第１及び第２の部材５０ｂ，５４ｂから形成された斜角パネルを備えており、該第１及び第２の部材は、それぞれ、基部壁１２あるいは２０のそれぞれと端部サポートフラップ４０ｂあるいは４４ｂのそれぞれとの間に画成されている。
【００２２】
ディスペンサーＤは、ブランクの前方端部に形成されており、この実施例では、複合前方端部壁４０ｂ／３０ｂ／３８ｂ／３２ｂ／４４ｂ、対向する側部壁パネル１４，１８、及び頂部壁パネル１６を含む複数のパネルを備えた取り除き可能コーナー部分Ｔ（図２）によって設けられている。使用中、コーナー部分Ｔは、図３に示されるディスペンサーＤを形成するために、カートンから分離される。
【００２３】
図１及び２に戻ると、取り除き可能コーナー部分Ｔは、端部壁パネル３０ｂから形成されたパネル６５ａと、第１の側部壁パネル１４、頂部壁パネル１６及び第２の側部壁パネル１８からそれぞれ形成されたパネル６２，６４，６６と、端部壁パネル３２ｂから形成されたパネル６５ｂと、を含む一連のパネルを備えている。これらのパネル６５ａ，６２，６４，６６及び６５ｂは、一連の切り離し線からなる分離可能接続部６８により、端部壁パネル３０ｂと、側部及び頂部壁パネル１４、１６，１８と、端部壁パネル３２ｂとにそれぞれ切り取り可能に接続されている。切り離し線は、パネル３０ｂ，１４，１６，１８，３２ｂにそれぞれ形成され、かつ、この実施例では２つの部分に分けられた開口部（図３）、つまり上側部分Ｏ１及び下側部分Ｏ２（図３）を画成するような形状及び配置とされている。
【００２４】
図１の実施例では、ディスペンサーを形成するためのコーナー部分Ｔは、折り曲げ線９１に沿ってパネル６４に折り曲げ可能に接続されたハンドパネル８９（図１）を備えている。ハンドパネル８９は、頂部壁パネル１６における切り離し線に沿って、頂部パネル１６に切り取り可能に接続されている。
【００２５】
折り曲げ線９３，９５及び９７に沿って頂部壁パネル１６に折り曲げ可能に接続された撓みパネル８７をさらに備えていてもよく、該撓みパネルは、カートンを持ち上げたときに撓み、したがって分離可能接続部６８に沿ったカートン切り離しの見込みを減少させる。
【００２６】
ユーザーがカートンを運ぶことができるようにするため、ブランクは適切な周知のハンドルＨをさらに備えていることが図１に見られるであろう。
【００２７】
ブランクから平坦な折り畳み状態の完成したカートンを形成するため、一連の連続した折り曲げ及び接着動作が必要とされ、これらを図２を参照してさらに説明する。折り曲げ及び接着動作は、１つ以上の直線機械で実行することができ、ブランクあるいはカートンは、その構造を完成するために回転されたりひっくり返されたりすることが必要ではない。折り曲げ工程は、以下の説明に限定されず、特定の製造要求に応じて変えることができる。
【００２８】
図１のブランクから図２に示された組み立てカートンを構成するため、第１の側部壁パネル１４を、パネル１６及び１８上に平坦な位置させるように、折り曲げ線２４に沿って内方側に折り曲げる。接着剤を、第１の基部壁パネル１２とサポートフラップ４０ａ（４０ｂ）とに塗布し、第２の基部壁パネル２０を、第１の基部壁パネル１２上に平坦な位置させるように、折り曲げ線２８に沿って内方側に折り曲げる。このようにして、第１及び第２の基部壁パネル１２，２０を、複合底部壁１２／２０を形成するために互いに接着し、サポートフラップ４０ａ，４４ａを、複合底部端部フラップ４０ａ／４４ａのために互いに接着し、サポートフラップ４０ｂ，４４ｂを、複合底部端部フラップ４０ｂ／４４ｂを形成するために互いに接着する。これは、平坦な筒状カートンを提供する。
【００２９】
それから、平坦な筒状カートンを、開口端部を有する筒状形に拡げる。例えば缶Ｃとされる物品を、カートンの一方または両方の開口端部を通して詰め込み、カートンの両端部を閉じるために両端部壁を形成する。各端部壁は略同一であるため、後方端部壁のみを以下で説明する。
【００３０】
まず、底部端部フラップ４０ａ／４４ａ及びサポートフラップ３８ａを、折り曲げ線４２ａ，３９ａ及び４６ａに沿ってそれぞれ内方側に折り曲げる。その後、端部壁パネル３０ａ，３２ａを、折り曲げ線３４ａ及び３６ａに沿ってそれぞれ内方側に折り曲げ、それらを接着剤あるいは他の適切な固定手段によって互いに固定する。好ましくは、端部壁パネル３０ａ及び３２ａに追加のサポートを提供するため、フラップ４０ａ／４４ａ及び３８ａを端部壁パネル３０ａ及び３２ａの内面にも固定する。反対側の端部壁（前方壁）は同様に構成されているため、詳細には説明しない。
【００３１】
したがって、カートンが、組み立てカートンを示す図２のように、完成されかつ閉じた状態となる。カートンは、２つ以上の、好ましくは３つ（図３で示す）の垂直配列された段で、一群の類似サイズの（缶あるいはボトルのような）円柱形物品を保持するように適合されている。各段の物品は、平行に並んだ状態で横に配置されている。側部壁パネル１４，１８は、グループの物品の両端部に並んで配置されている一方、カートンの各端部壁は、それぞれの末端の物品の側部壁に隣接するように配置されている。
【００３２】
取り除き可能コーナー部分Ｔは、ディスペンサーＤを形成するために変位可能であるように、カートンの端部に一体的に形成されている。
【００３３】
ディスペンサーＤを形成するため、ハンドパネル８９を、折り曲げ線９１に沿った折り曲げと分離可能接続部６８に沿った切り離しとによって、内方側に押し込む。ユーザーは、パネル６４の一部をつかんでそれを引き出し、ディスペンサー開口部Ｏ１／Ｏ２を現すために、カートンの残りの部分からパネル６２，６５ａ，６５ｂ及び６６と一緒にそれを分離させる。
【００３４】
コーナー部分Ｔが分離されると、前方端部壁の下方部分が、側部壁パネル１４及び１８の間の複合底部壁１２／２０から上方側に延びるストッパ壁８０を形成する。ストッパ壁８０の上方縁部は、分離可能接続部６８の端部壁切り離し線６９によって画成され、ストッパ壁８０はそれ自体により、下段及び中段の物品が取り出される前に不注意にカートンを出るのを防止することができ、カートンの内容物は、ディスペンサー開口部Ｏ１／Ｏ２を通して容易に見られる。
【００３５】
開口部の下側部分Ｏ２は、第１の縁部セクション８３（図３）によって画成された凹所であり、該凹所は、最下段における末端の物品Ｃ１を部分的に露出させて、ユーザーがその中央領域においてそれを容易につかむことができるようにしている。最上段及び中段の物品を取り出すことにより、それから、最下段へアクセスできるようになる。物品の３つ以上の段を有するパッケージのためには、下側方向へ端部壁切り取り線６９の長さを増大させることにより、凹所の深さを増大させる。第１の縁部セクション８３に沿った最も低いポイントは、底部壁１２／２０よりも上に、各物品「Ｃ」の直径よりも小さく、好ましくは各物品の直径の約半分とされる第１の距離Ｘ（図２）で離間している。
【００３６】
ストッパ壁８０の上方縁部は、ストッパ壁８０から上方側に延びる保持タブ９０を画成するための形状とされる第２の縁部セクション８１（図３）をさらに備えている。いくつかの実施例では、第２の縁部セクション８１に沿った最も高いポイントが、底部壁１２／２０よりも上に、第２の距離Ｙ（図２）で離間している。第２の距離Ｙは、各物品「Ｃ」の直径よりも大きく、好ましくは各物品の直径の１．５倍よりも小さくならない。
【００３７】
それぞれの側部壁切り離し線によって画成される上側部分Ｏ１の各側縁部８５は、図３に示されるように、中段における末端の物品Ｃ２の隣接する端部を横切って延びるような形状とされ、末端の物品Ｃ２の両端部を部分的に露出させている。好ましくは、各縁部８５に沿った最も低いポイントが、底部壁１２／２０よりも上に、第３の距離Ｚ（図２）で離間している。第３の距離Ｚは、第１の距離Ｘよりも大きく、かつ第２の距離Ｙよりも小さく、好ましくは、ユーザーが中段の物品を容易につかむことができるように、各物品「Ｃ」の直径よりも大きく、かつ各物品の直径の１．５倍よりも小さい。いくつかの実施例では、分離可能接続部６８の曲率はまた、物品の両端部の露出領域を増大させるために役立ち、物品をその両端部でつかむことができるようにする。末端の物品が最上段から取り出された後、最上段における残りの物品Ｃ３は、中段における物品同士の間の空間に入り込む。このような物品の入り込みは、周知の技術であって示されていない。
【００３８】
本発明及びその好ましい実施例は、完全に閉じたカートンに物品ディスペンサーあるいはアクセス開口部を設けるための機構に関するものである。本発明は、表面にあるいは冷蔵庫やパントリーのようなコンパートメント内に配置されうる有用な分配カートンとして機能する。本発明は、様々なカートンに適用されることができ、缶あるいはボトルのためのそれらのカートンに限定されていないことが予測されうる。
【００３９】
ここで使用された「頂部」、「基部」、「底部」、「端部」、「側部」、「内側」、「外側」、「上方」、「中央」、「下方」、「前方」、及び「後方」のような参照方向は、それぞれのパネルをそのような向きに限定するものではなく、これらのパネルを互いに区別するために機能するのみである。折り曲げ可能に接続された接続部に対する参照は、必ずしも単一の折り曲げ線のみを参照するものとして解釈されるべきではなく、実際には、折り曲げ可能に接続された接続部が、本発明の範囲から逸脱することなく、切り込み線、切り取り線、あるいは折り曲げ線のうちの１以上から形成可能であることが想定される。
【００４０】
本発明の範囲内において、様々な変更がなされてもよいことが理解されるべきであり、例えば、パネル及び孔のサイズ及び形状が異なるサイズあるいは形状の物品を収容するために調節されていてもよいし、代わりの端部壁構造が使用されていてもよい。カートンは、異なるアレイにおける複数の物品を収容してもよい。
【図面の簡単な説明】
【００４１】
【図１】本発明の第１の実施例によるディスペンサー付きカートンを形成するためのブランクの平面図である。
【図２】図１に示されたブランクから形成されるカートンを示す図である。
【図３】ディスペンサー開口部を現すために取り除かれたコーナー部分とともにカートンを示す図である。
【符号の説明】
【００４２】
１０  ブランク
１２，２０  基部壁パネル
１４，１８  側部壁パネル
１６  頂部壁パネル
３０ａ，３０ｂ，３２ａ，３２ｂ  端部壁パネル
３８ａ，３８ｂ，４０ａ，４０ｂ，４４ａ，４４ｂ  サポートフラップ
６８  分離可能接続部
６９  端部壁切り離し線
８０  ストッパ壁
８１  第２の縁部セクション
８３  第１の縁部セクション
９０  保持タブ
Ｃ  缶
Ｄ  ディスペンサー
Ｏ  開口部
Ｏ１  上側部分
Ｏ２  下側部分
Ｔ  取り除き可能コーナー部分
【図１】
0004647591.tif 000002
【図２】
0004647591.tif 000003
【図３】
0004647591.tif 000004